(57)【特許請求の範囲】
【請求項１】
アクセス端末として実現されるワイヤレス通信装置において、
前記装置は、
第１のアンテナと第２のアンテナとのうちの少なくとも１つの１つ以上のアップリンク性能特性を決定する手段を具備し、
前記第１のアンテナの前記１つ以上のアップリンク性能特性がしきい値より悪い場合に、前記第１のアンテナおよび前記第２のアンテナの１つ以上のダウンリンク性能特性を決定する手段と、
前記第１のアンテナの前記１つ以上のダウンリンク性能特性が前記第２のアンテナの前記１つ以上のダウンリンク性能特性より悪い場合に、前記第１のアンテナを介してワイヤレス通信を送信することから、前記第２のアンテナを介してワイヤレス通信を送信するように、第１の送信回路を選択的にスイッチする手段とによって特徴付けられるワイヤレス通信装置。
【請求項２】
前記第１のアンテナの前記１つ以上のアップリンク性能特性が前記第２のアンテナの前記１つ以上のアップリンク性能特性より悪い場合に、前記第１のアンテナを介してワイヤレス通信を送信することから、前記第２のアンテナを介してワイヤレス通信を送信するように、前記第１の送信回路を選択的にスイッチする手段をさらに具備する請求項１記載のワイヤレス通信装置。
【請求項３】
前記第１のアンテナの前記１つ以上のアップリンク性能特性と前記第２のアンテナの前記１つ以上のアップリンク性能特性との間の差がしきい値より大きい場合に、前記第１のアンテナを介してワイヤレス通信を送信することから、前記第２のアンテナを介してワイヤレス通信を送信するように、前記第１の送信回路を選択的にスイッチする手段をさらに具備する請求項１記載のワイヤレス通信装置。
【請求項４】
前記第２のアンテナの前記１つ以上のアップリンク性能特性が前記第１のアンテナの前記アップリンク性能特性より悪い場合に、前記第２のアンテナから前記第１のアンテナに選択的にスイッチバックする手段をさらに具備する請求項１記載のワイヤレス通信装置。
【請求項５】
前記第１のアンテナの前記１つ以上のダウンリンク性能特性が前記第２のアンテナの前記１つ以上のダウンリンク性能特性より悪い場合に、前記第１のアンテナを介してワイヤレス通信を受信することから、前記第２のアンテナを介してワイヤレス通信を受信するように、第１の受信回路を選択的にスイッチする手段をさらに具備する請求項１記載のワイヤレス通信装置。
【請求項６】
前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、第１の受信回路を選択的にスイッチする手段をさらに具備する請求項１記載のワイヤレス通信装置。
【請求項７】
前記１つ以上のアップリンク性能特性を決定する手段は、
前記第１のアンテナの１つ以上のアップリンク性能特性を決定する手段と、
前記第２のアンテナの１つ以上のアップリンク性能特性を決定する手段とを備え、
前記選択的にスイッチする手段は、
前記第２のアンテナの前記１つ以上のアップリンク性能特性が前記第１のアンテナの前記１つ以上のアップリンク性能特性より良い場合に、前記第１のアンテナを介してワイヤレス通信を送信することから、前記第２のアンテナを介してワイヤレス通信を送信するように、前記第１の送信回路をスイッチする手段を備える請求項１記載のワイヤレス通信装置。
【請求項８】
前記第１のアンテナと前記第２のアンテナとを含む複数のアンテナと、
前記第１の送信回路を含む複数の送信回路とをさらに具備し、
前記１つ以上のダウンリンク性能特性を決定する手段と前記選択的にスイッチする手段は制御装置を備える請求項１ないし７のいずれか１項記載のワイヤレス通信装置。
【請求項９】
アクセス端末として実現されるワイヤレス通信装置のための方法において、
前記方法は、
第１のアンテナの１つ以上のアップリンク性能特性がしきい値より悪い場合に、前記第１のアンテナおよび第２のアンテナの１つ以上のダウンリンク性能特性を決定することと、
前記第１のアンテナの前記１つ以上のダウンリンク性能特性が前記第２のアンテナの前記１つ以上のダウンリンク性能特性より悪い場合に、前記第１のアンテナを介してワイヤレス通信を送信することから、前記第２のアンテナを介してワイヤレス通信を送信するように、第１の送信回路を選択的にスイッチすることとによって特徴付けられる方法。
【請求項１０】
前記第１のアンテナの前記１つ以上のアップリンク性能特性が前記第２のアンテナの１つ以上のアップリンク性能特性より悪い場合に、前記第１のアンテナを介してワイヤレス通信を送信することから、前記第２のアンテナを介してワイヤレス通信を送信するように、前記第１の送信回路を選択的にスイッチすることをさらに含む請求項９記載の方法。
【請求項１１】
前記第１のアンテナの前記１つ以上のアップリンク性能特性と前記第２のアンテナの１つ以上のアップリンク性能特性との間の差がしきい値より大きい場合に、前記第１のアンテナを介してワイヤレス通信を送信することから、前記第２のアンテナを介してワイヤレス通信を送信するように、前記第１の送信回路を選択的にスイッチすることをさらに含む請求項９記載の方法。
【請求項１２】
前記第２のアンテナの１つ以上のアップリンク性能特性が前記第１のアンテナの前記アップリンク性能特性より悪い場合に、前記第２のアンテナから前記第１のアンテナに選択的にスイッチバックすることをさらに含む請求項９記載の方法。
【請求項１３】
前記第１のアンテナの前記１つ以上のダウンリンク性能特性が前記第２のアンテナの前記１つ以上のダウンリンク性能特性より悪い場合に、前記第１のアンテナを介してワイヤレス通信を受信することから、前記第２のアンテナを介してワイヤレス通信を受信するように、第１の受信回路を選択的にスイッチすることをさらに含む請求項９記載の方法。
【請求項１４】
前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、第１の受信回路を選択的にスイッチすることをさらに含む請求項９記載の方法。
【請求項１５】
前記選択的にスイッチすることは、
前記第１のアンテナの１つ以上のアップリンク性能特性を決定することと、
前記第２のアンテナの１つ以上のアップリンク性能特性を決定することと、
前記第２のアンテナの前記１つ以上のアップリンク性能特性が前記第１のアンテナの前記１つ以上のアップリンク性能特性より良い場合に、前記第１のアンテナを介してワイヤレス通信を送信することから、前記第２のアンテナを介してワイヤレス通信を送信するように、前記第１の送信回路をスイッチすることとを含む請求項９記載の方法。
【請求項１６】
実行されるときに請求項９ないし１５のいずれか１項記載の方法をデバイス中のプロセッサに実行させる命令を含むコンピュータ読み取り可能記憶媒体。
【発明の詳細な説明】
【関連出願に対する相互参照】
【０００１】
［０００１］
本特許出願は、（ａ）２０１２年５月２１日に出願された、米国仮出願番号第６１／６４９，７０４号；（ｂ）２０１２年１０月２１日に出願された、米国仮出願番号第６１／７１６，５８２号；（ｃ）２０１２年１２月６日に出願された、米国仮出願番号第６１／７３４，２７６号；（ｄ）２０１２年１２月１４日に出願された、米国仮出願番号第６１／７３７，７１５号；（ｅ）２０１２年１０月２１日に出願された、米国仮出願番号第６１／７１６，５８６号；（ｆ）２０１２年１０月２１日に出願された、米国仮出願番号第６１／７１６，５９９号；（ｇ）２０１２年１０月２２日に出願された、米国仮出願番号第６１／７１６，９０２号；および（ｈ）２０１２年１２月１２日に出願された、米国仮出願番号第６１／７３６，５４１号に対して優先権およびこれらの利益を主張する。前記出願のすべては本出願の譲受人に譲渡されており、すべての適用可能な目的に対してその全体が下記で完全に明らかになるように、参照によってここに明示的に組み込まれている。
【技術分野】
【０００２】
［０００２］
以下で議論する技術はワイヤレス通信に一般的に関連しており、より具体的には、電力送信レベルおよび電力受信レベルを最大化するためのアンテナ選択に関連している。
【背景】
【０００３】
［０００３］
音声やデータのようなさまざまなタイプの通信コンテンツを提供するために、ワイヤレス通信システムが広範囲に配備されている。典型的なワイヤレス通信システムは、利用可能なシステムリソース（例えば、帯域幅、送信電力、およびこれらに類するもの）を共有することによって複数のユーザとの通信をサポートすることができる多元接続システムであるかもしれない。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらに類するものを含んでいるかもしれない。システムは、第３世代パートナーシッププロジェクト（３ＧＰＰ）、３ＧＰＰ２、３ＧＰＰロングタームエボリューション（ＬＴＥ）、ＬＴＥ  Ａｄｖａｎｃｅｄ（ＬＴＥ−Ａ）などのような仕様にもしたがうことができる。
【０００４】
［０００４］
一般的に、ワイヤレス多元接続通信システムは、複数の移動体デバイスに対する通信を同時にサポートしているかもしれない。それぞれの移動体デバイスは、フォワードリンクおよびリバースリンク上での送信を介して１つ以上の基地局と通信するかもしれない。フォワードリンク（すなわちダウンリンク）は基地局から移動体デバイスへの通信リンクを指し、リバースリンク（すなわちアップリンク）は移動体デバイスから基地局への通信リンクを指す。  
いくつかのシナリオにおいて、ユーザがコールを発信しようと試行するときに、またはユーザがコールを受信するときに、デバイス特有のアーキテクチャに基づいて、移動体の２つ以上のアンテナのうちの１つのアンテナが（例えば、手による制限などが原因の）妨害を有しているかもしれない。妨害が生じるとき、移動体の第２のアンテナが比較的低い妨害を有していて、それゆえ第２のアンテナを通して接続をルーティングすることがネットワークエンティティに到達する比較的より良い／より高速なチャンスを提供するかもしれないという可能性がある。
【いくつかのサンプル実施形態の簡単な概要】
【０００５】
［０００５］
議論する技術の基本的な理解を提供するために、以下は本開示のいくつかの態様を要約している。この概要は、意図する本開示のすべての特徴の広範な大要ではなく、本開示のすべての態様のキーエレメントまたは重要なエレメントを識別するように意図したものでもなく、本開示の何らかの態様またはすべての態様の範囲を描写するように意図したものでもない。その唯一の目的は、後で提示する、より詳細な記述へのプレリュードとして、本開示の１つ以上の態様のいくつかの概念を、概要の形態で提示することである。
【０００６】
［０００６］
本明細書中で記述する主題事項の１つ以上の実施形態の詳細を、付随する図面および以下の記述において説明する。他の特徴、態様、および利点が、記述や、図面や、特許請求の範囲から明白となるであろう。以下の図面の相対的な大きさは、スケーリングされて描かれているものではないことに留意されたい。
【０００７】
［０００７］
本開示の１つの態様はワイヤレス通信装置を提供している。装置は、第１のアンテナと第２のアンテナとを含む複数のアンテナと、第１の送信回路を含む複数の送信回路と、第１のアンテナと第２のアンテナとのうちの少なくとも１つの１つ以上のアップリンク性能特性に基づいて、第１のアンテナを介してワイヤレス通信を送信することから、第２のアンテナを介してワイヤレス通信を送信するように、第１の送信回路を選択的にスイッチするように構成されている制御装置とを具備している。
【０００８】
［０００８］
１つの態様において、ワイヤレス通信装置中で実現される方法が開示されている。方法は、第１のアンテナと第２のアンテナとのうちの少なくとも１つの１つ以上のアップリンク性能特性に基づいて、第１のアンテナを介してワイヤレス通信を送信することから、第２のアンテナを介してワイヤレス通信を送信するように、第１の送信回路を選択的にスイッチすることを含んでいる。
【０００９】
［０００９］
さらに本開示の他の態様は、第１のアンテナと第２のアンテナとのうちの少なくとも１つの１つ以上のアップリンク性能特性を決定する手段と、第１のアンテナと第２のアンテナとのうちの少なくとも１つの１つ以上のアップリンク性能特性に基づいて、第１のアンテナを介してワイヤレス通信を送信することから、第２のアンテナを介してワイヤレス通信を送信するように、第１の送信回路を選択的にスイッチする手段とを具備するワイヤレス通信装置を提供している。
【００１０】
［００１０］
１つの態様において、実行されるときにワイヤレスネットワーク中の衝突を減少させるための方法をデバイス中のプロセッサに実行させる命令を含む、非一時的コンピュータ読み取り可能媒体が開示されている。この方法は、第１のアンテナと第２のアンテナとのうちの少なくとも１つの１つ以上のアップリンク性能特性に基づいて、第１のアンテナを介してワイヤレス通信を送信することから、第２のアンテナを介してワイヤレス通信を送信するように、第１の送信回路を選択的にスイッチすることを含んでいる。
【００１１】
［００１１］
付随する図面とともに特定の、例示的な実施形態の以下の記述をレビューしたときに、他の態様、特徴、および実施形態が当業者に明白となるであろう。以下ではある実施形態および図面に関して特徴を議論するかもしれないが、すべての実施形態がここで議論する有利な特徴のうちの１つ以上を含むことができる。言い換えれば、ある有利な特徴を有しているとして１つ以上の実施形態を議論するかもしれないが、ここで議論する発明のさまざまな実施形態にしたがってそのような特徴のうちの１つ以上を使用してもよい。同様の方法で、デバイスの、システムの、または方法の実施形態として例示的な実施形態を以下で説明するかもしれないが、そのような例示的な実施形態は、さまざまなデバイス、システム、および方法において実現できることを理解すべきである。
【図面の簡単な説明】
【００１２】
【図１】［００１２］  図１は、いくつかの実施形態にしたがった、ワイヤレス通信システムの簡略化したダイヤグラムの例を示している。
【図２】［００１３］  図２は、いくつかの実施形態にしたがった、ワイヤレス通信ネットワーク中で動作する例示的な移動体デバイスの機能ブロックダイヤグラムの例を示している。
【図３】［００１４］  図３は、いくつかの実施形態にしたがった、図１および２において示した例示的なアクセス端末の機能ブロックダイヤグラムの例を示している。
【図４】［００１５］  図４は、いくつかの実施形態にしたがった、図３において示したアクセス端末の一部分の機能ブロックダイヤグラムである。
【図５】［００１６］  図５は、いくつかの実施形態にしたがった、ワイヤレス通信装置によって実現される例示的な方法のインプリメンテーションのフローチャートである。
【図６】［００１７］  図６は、いくつかの実施形態にしたがった、ワイヤレス通信装置によって実現される他の例示的な方法のインプリメンテーションのフローチャートである。
【図７】［００１８］  図７は、いくつかの実施形態にしたがった、ワイヤレス通信装置によって実現される他の例示的な方法のインプリメンテーションのフローチャートである。
【図８】［００１９］  図８は、いくつかの実施形態にしたがった、ワイヤレス通信システム内で用いることができる例示的なワイヤレス通信装置の機能ブロックダイヤグラムである。
【図９】［００２０］  図９は、いくつかの実施形態にしたがった、通信システム中のさまざまなコンポーネントの機能ブロックダイヤグラムの例を示している。
【００１３】
［００２１］
一般的な実務にしたがって、図面中に図示したさまざまな特徴はスケーリングされて描かれていない。したがって、明確にするためにさまざまな特徴の大きさを任意に拡張または縮小しているかもしれない。加えて、図面のうちのいくつかは、所定のシステム、方法、またはデバイスのコンポーネントのすべてを描写してはいないかもしれない。明細書および図面にわたって、同一の特徴を示すために同一の参照番号を使用しているかもしれない。
【詳細な説明】
【００１４】
［００２２］
添付された特許請求の範囲の範囲内での実施形態のさまざまな態様を以下に記述する。ここで記述する態様は広範なさまざまな形態で実現してもよいこと、ならびに、ここで記述する任意の特定の構造および／または機能は単に実例であるに過ぎないことは明白であるべきである。本開示に基づいて、ここで記述する態様を他の任意の態様から独立して実現してよいこと、および、これらの態様のうちの２つ以上をさまざまな方法で組み合わせてもよいことを、当業者は認識すべきである。例えば、ここで明らかにする任意の数の態様または実施形態を使用して装置を実現してもよい、および／または方法を実施してもよい。さらに、ここで明らかにする態様または実施形態のうちの１つ以上に加えて、あるいはここで明らかにする態様または実施形態のうちの１つ以上以外の、他の構造および／または機能性を使用して、そのような装置を実現してもよい、および／またはそのような方法を実施してもよい。
【００１５】
［００２３］
“例示的な”という用語は、“例として、インスタンスとして、または例証として機能する”を意味するようにここでは使用する。“例示的な”としてここで記述している任意の実施形態は、必ずしも他の実施形態にわたって好ましいまたは有利であるとして解釈すべきではない。任意の当業者が発明を生産し使用できるようにするために、以下の記述を提示する。説明の目的のために、詳細を以下の記述において明らかにする。これらの特定の詳細の使用なしで発明を実施してもよいことを当業者が理解するであろうことを認識すべきである。他のインスタンスにおいて、不必要な詳細で発明の記述を不明瞭にしないために、よく知られている構造およびプロセスを詳細には説明していない。したがって、本発明は、示される実施形態によって限定されることを意図しているものではないが、ここで開示する原理および特徴と一貫した最も広い範囲と一致すべきである。
【００１６】
［００２４］
ここで記述する技術を、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク、およびこれらに類するもののような、さまざまなワイヤレス通信ネットワークに対して使用してもよい。“ネットワーク”および“システム”という用語は、互換性があるように使用されることが多い。ＣＤＭＡネットワークは、ユニバーサル地上無線アクセス（ＵＴＲＡ）、ｃｄｍａ２０００、およびこれらに類するもののような、無線技術を実現してもよい。ＵＴＲＡは、ワイドバンド−ＣＤＭＡ（Ｗ−ＣＤＭＡ）やローチップレート（ＬＣＲ）を含む。ｃｄｍａ２０００ネットワークは、ＩＳ−２０００、ＩＳ−９５、およびＩＳ−８５６標準規格を含んでいてもよい。ＴＤＭＡネットワークは、グローバルシステムフォーモバイル通信（ＧＳＭ（登録商標））のような無線技術を実現してもよい。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ等のような、無線技術を実現してもよい。ＵＴＲＡ、Ｅ−ＵＴＲＡ、およびＧＳＭは、ユニバーサル移動体電気通信システム（ＵＭＴＳ）の一部である。ロングタームエボリューション（ＬＴＥ）は、Ｅ−ＵＴＲＡを使用する、ＵＭＴＳのリリースである。ＵＴＲＡ、Ｅ−ＵＴＲＡ、ＧＳＭ、ＵＭＴＳ、およびＬＴＥは、“第３世代パートナーシッププロジェクト”（３ＧＰＰ）と名付けられている機関による文書中に記述されている。ｃｄｍａ２０００およびＥＶ−ＤＯ標準規格は、“第３世代パートナーシッププロジェクト２”（３ＧＰＰ２）と名付けられている機関による文書中に記述されている。これらのさまざまな無線技術および標準規格は技術的に知られている。
【００１７】
［００２５］
単一搬送波変調および周波数ドメイン等化を利用する、単一搬送波周波数分割多元接続（ＳＣ−ＦＤＭＡ）は、ワイヤレス通信システムにおいて使用される１つの技術である。ＳＣ−ＦＤＭＡは、ＯＦＤＭＡシステムと同様の性能および本質的に同一の全体的複雑性を有している。その固有の単一搬送波構造の理由で、ＳＣ−ＦＤＭＡ信号はより低いピーク対平均電力比（ＰＡＰＲ）を有する。より低いＰＡＰＲが送信電力効率に関して移動体端末に大いに利益を与える、アップリンク通信における使用に対して特に、ＳＣ−ＦＤＭＡは有用であるかもしれない。例えば、ＬＴＥネットワークにおいて、ＳＣ−ＦＤＭＡはアップリンク多元接続方法に対するオプションとして採用されている。
【００１８】
［００２６］
図１は、いくつかの実施形態にしたがった、例示的なワイヤレス通信ネットワーク１００を図示している。ワイヤレス通信ネットワーク１００は、多数のユーザ間での通信をサポートするように構成されている。ワイヤレス通信ネットワーク１００は、例えばセル１０２ａ〜１０２ｇのような１つ以上のセル１０２に分割することができる。セル１０２ａ〜１０２ｇ中の通信カバレッジは、例えばノード１０４ａ〜１０４ｇのような１つ以上のノード１０４（例えば、基地局、アクセスポイント、およびこれらに類するもの）によって提供されるかもしれない。各ノード１０４は、対応するセル１０２に通信カバレッジを提供するかもしれない。ノード１０４は、例えばアクセス端末（ＡＴ）１０６ａ〜１０６ｌのような複数のＡＴと対話するかもしれない。参照の簡略のために、ＡＴ１０６ａ〜１０６ｌのそれぞれは、以後ではアクセス端末１０６として呼ぶかもしれない。
【００１９】
［００２７］
各ＡＴ１０６は、所定の瞬間において、フォワードリンク（ＦＬ）および／またはリバースリンク（ＲＬ）上で１つ以上のノード１０４と通信するかもしれない。ＦＬはノードからＡＴへの通信リンクである。ＲＬはＡＴからノードへの通信リンクである。ＦＬはダウンリンクとして呼ばれもするかもしれない。さらに、ＲＬはアップリンクとして呼ばれもするかもしれない。ノード１０４は、例えば適切なワイヤードまたはワイヤレスインターフェースによって相互接続されているかもしれず、互いに通信できるかもしれない。したがって、１つ以上のノード１０４を通して、各ＡＴ１０６は他のＡＴ１０６と通信するかもしれない。
【００２０】
［００２８］
ワイヤレス通信ネットワーク１００は大きな地理領域にわたってサービスを提供するかもしれない。例えば、セル１０２ａ〜１０２ｇは、近隣の数ブロックのみを、または地方の環境における数平方マイルをカバーするかもしれない。１つの実施形態において、各セルはさらに（示していない）１つ以上のセクタに分割されるかもしれない。
【００２１】
［００２９］
上述したように、ノード１０４は、そのカバレッジエリア内での例えばインターネットまたは他のセルラネットワークのような、他の通信ネットワークへのアクセスを、アクセス端末（ＡＴ）１０６に提供するかもしれない。
【００２２】
［００３０］
ＡＴ１０６は、通信ネットワークにわたって音声通信またはデータ通信を送るおよび受信するための、ユーザによって使用されるワイヤレス通信デバイス（例えば、移動体電話機、ルータ、パーソナルコンピュータ、サーバ等）であるかもしれない。ここにおいて、ＡＴ１０６はユーザ機器（ＵＥ）、移動局（ＭＳ）、または端末デバイスとして呼ばれもするかもしれない。示されているように、ＡＴ１０６ａ、１０６ｈ、および１０６ｊはルータを構成している。ＡＴ１０６ｂ〜１０６ｇ、１０６ｉ、１０６ｋ、および１０６ｌは移動体電話機を構成している。しかしながら、ＡＴ１０６ａ〜１０６ｌのそれぞれは任意の適切な通信デバイスを構成していてもよい。
【００２３】
［００３１］
アクセス端末１０６は、異なる無線アクセス技術（ＲＡＴ）を使用して動作することができるマルチモードであってもよい。例えば、ｃｄｍａ２０００  １ｘ、１ｘ−ＥＶ−ＤＯ、ＬＴＥ、ｅＨＲＰＤ、８０２．１１、およびこれらに類するもののような標準規格によって規定される１つ以上のＲＡＴを使用して、ＡＴ１０６は動作することができるかもしれない。ＡＴ１０６はこれらの異なるＲＡＴを使用して、さまざまな通信システムにわたって複数のタスクを実行してもよい。通信は、同じ位置に配置されている複数の送信機および／または受信機を使用して遂行されるかもしれないし、あるいは１つの単一の送信機および／または受信機を使用して通信されるかもしれない。
【００２４】
［００３２］
ここで記述する技術はさらに、音声データおよび非音声データを同時に送ることおよび受信することを可能にする同時音声およびデータモードのような、異なるＲＡＴに関係付けられているさまざまなモードにより使用してもよい。例えば、さまざまな実施形態において、同時１Ｘ音声およびＥＶ−ＤＯデータ（ＳＶＤＯ）モードならびに同時１ＸおよびＬＴＥ（ＳＶＬＴＥ）モードを用いてもよい。
【００２５】
［００３３］
図２は、いくつかの実施形態にしたがった、ワイヤレス通信ネットワーク２００中で動作する例示的なアクセス端末（ＡＴ）１０６の機能ブロックダイヤグラムの例を示している。ワイヤレス通信ネットワーク２００は、ＡＴ１０６と、第２のワイヤレス通信デバイス２１０と、第３のワイヤレス通信デバイス２２０と、第４のワイヤレス通信デバイス２３０と、セルラタワー２４０とを具備している。ワイヤレス通信ネットワーク２００は、ワイヤレス通信デバイス１０６ａ、２１０、２２０、２３０、およびタワー２４０のような多くのデバイスの間での通信をサポートするように構成されているかもしれない。移動体ワイヤレス通信デバイス（例えば、１０６ａ、２１０、および２２０）は、例えば、パーソナルコンピュータ、ＰＤＡ、ミュージックプレーヤー、ビデオプレーヤー、マルチメディアプレーヤー、テレビジョン、電子ゲームシステム、デジタルカメラ、ビデオカムコーダー、時計、遠隔制御、ヘッドセットなどを含んでいてもよい。ＡＴ１０６は、アクセス端末１０６上で同じ位置に配置されている１つ以上の送信機および／または受信機を介して、デバイス２１０、２２０、２３０、および２４０のそれぞれと同時に通信しているかもしれない。
【００２６】
［００３４］
図２を続けて参照すると、ＡＴ１０６はさまざまな通信チャネルにわたって、他のワイヤレス通信デバイス（例えば、２１０、２２０）と通信するかもしれない。技術的によく知られているように、通信チャネルは、ウルトラ−ワイドバンド（ＵＷＢ）チャネル、ブルートゥースチャネル、８０２．１１チャネル（例えば、８０２．１１ａ、８０２．１１ｂ、８０２．１１ｇ、８０２．１１ｎなど）、赤外（ＩＲ）チャネル、ジグビー（８０２．１５）チャネル、またはさまざまな他のチャネルを含んでいてもよい。１つの実施形態において、チャネルはＥＣＭＡ−３６８標準規格に準拠するＵＷＢチャネルであってもよい。他のチャネルも同様に可能であると容易に認識するであろう。
【００２７】
［００３５］
ワイヤレス通信ネットワーク２００は、家庭、オフィス、１グループのビルディング、またはこれらに類するもののような物理的エリアをカバーするワイヤレスローカルエリアネットワーク（ＷＬＡＮ）を含んでいてもよい。ＷＬＡＮは、８０２．１１標準規格および／または他の標準規格のような、標準規格を、ワイヤレス通信に対して使用するかもしれない。いくつかの実施形態において、ＷＬＡＮは、ワイヤレス通信デバイスが互いに直接通信するピアツーピア通信を使用してもよい。
【００２８】
［００３６］
ワイヤレス通信ネットワーク２００はまた、例えば数メートルのエリアにわたるワイヤレスパーソナルエリアネットワーク（ＷＰＡＮ）を含んでいてもよい。ＷＰＡＮは、赤外線、ブルートゥース、ワイメディアベースのＵＷＢ標準規格（例えば、ＥＣＭＡ−３６８）、ジグビー標準規格、および／またはワイヤレス通信に対する他の標準規格のような、標準規格を使用するかもしれない。ＷＰＡＮは、ワイヤレス通信デバイスが互いに直接通信するピアツーピア通信を使用してもよい。
【００２９】
［００３７］
ワイヤレス通信ネットワーク２００はまた、ワイドワイヤレスエリアネットワーク（ＷＷＡＮ）を含んでいてもよい。ＷＷＡＮは、ｃｄｍａ２０００  １ｘ、１ｘ−ＥＶ−ＤＯ、ＬＴＥ、ｅＨＲＰＤ、およびこれらに類するもののような、標準規格を使用するかもしれない。ネットワーク２００を通して、アクセス端末１０６はワイヤレス通信ネットワークまたはインターネットのような、他のネットワークに接続するかもしれない。以下でより詳細に記述するように、ワイヤレス通信ネットワーク２００を介して送られるメッセージは、さまざまなタイプの通信（例えば、音声、データ、マルチメディアサービス、およびこれらに類するもの）に関連する情報を含んでいてもよく、アクセス端末１０６のユーザに対してさまざまな重要度のものであるかもしれない。
【００３０】
［００３８］
以下の実施形態は図１または２を参照しているかもしれないが、それらが他の通信標準規格に容易に適用可能であることを認識するであろう。例えば、いくつかの実施形態はＵＭＴＳ通信システムにおいて適用可能であるかもしれない。いくつかの実施形態はＯＦＤＭＡ通信システムにおいて適用可能であるかもしれない。通信システム２００は、これらに限定されないが、ＣＤＭＡシステム、ＧＳＭシステム、ワイドバンドコード分割多元接続（ＷＣＤＭＡ（登録商標））、およびＯＦＤＭシステムを含む、任意のタイプの通信システムをさらに含んでいてもよい。
【００３１】
［００３９］
図３は、いくつかの実施形態にしたがった、図１および２において示した例示的なアクセス端末１０６の機能ブロックダイヤグラムの例を示している。アクセス端末１０６はマルチモードであってもよく、マルチモードは、図１および２を参照して上述した無線技術のうちの任意のもののような、異なる無線アクセス技術（ＲＡＴ）を使用して動作することができる。アクセス端末１０６は、ここで記述するさまざまな方法を実現するように構成されているデバイスの例である。アクセス端末１０６は、図１〜２において図示したデバイスのうちの任意のものを実現してもよい。
【００３２】
［００４０］
アクセス端末１０６は、いくつかの回路をともにリンクさせている中央データバス３１７を備えているかもしれない。回路は、制御装置／プロセッサ３２０と、メモリユニット３０８と、ＲＡＴ回路３０４とを備えており、ＲＡＴ回路３０４は、モジュール３０２ａ、３０２ｂ、３０２ｃ、および３０２ｄのようなさまざまなＲＡＴモジュールを含んでいるかもしれない。プロセッサ／制御装置３２０は、１つ以上のプロセッサで実現される処理システムのコンポーネントを含んでいてもよいし、または１つ以上のプロセッサで実現される処理システムのコンポーネントであってもよい。いくつかの実施形態において、プロセッサ／制御装置３２０はアプリケーションプロセッサ３２０として構成されているかもしれないし、またはアプリケーションプロセッサ３２０として呼ばれるかもしれない。プロセッサ／制御装置３２０の１つ以上のプロセッサは、汎用マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、制御装置、状態機械、ゲート論理、ディスクリートハードウェアコンポーネント、専用ハードウェア有限状態機械、あるいは、情報の計算または情報の他の操作を実行できる他の任意の適切なエンティティの、任意の組み合わせで実現してもよい。
【００３３】
［００４１］
さらに、プロセッサ／制御装置３２０は、異なるＲＡＴに対して構成されているさまざまなモジュールと通信するように、およびそれらのモジュールの動作を制御するように構成されているかもしれない。ＲＡＴモジュール３０２ａ、３０２ｂ、３０２ｃ、および３０２ｄのそれぞれは特定のＲＡＴを実現するかもしれず、モジュールによって実現されるＲＡＴタイプに適用可能な、付加的なメモリモジュール、通信コンポーネント、および機能をそれぞれ個々に含んでいるかもしれない。各ＲＡＴモジュール３０２ａ、３０２ｂ、３０２ｃ、および３０２ｄはさらに、制御装置３０６ａ、３０６ｂ、３０６ｃ、および３０６ｄを含んでいるかもしれず、制御装置３０６ａ、３０６ｂ、３０６ｃ、および３０６ｄのそれぞれは、各ＲＡＴの動作を制御するように使用されるかもしれないモデムプロセッサ３０６ａ、３０６ｂ、３０６ｃ、および３０６ｄとして、ここで呼ぶかもしれない。参照の簡略のために、制御装置３０６ａ、３０６ｂ、３０６ｃ、および３０６ｄは以後ではＲＡＴ制御装置３０６として呼ぶかもしれない。さらに、ＲＡＴ制御装置３０６ａ、３０６ｂ、３０６ｃ、および３０６ｄは、モジュールを制御するために、各モジュール３０２ａ、３０２ｂ、３０２ｃ、および３０２ｄから独立して提供されてもよい。いくつかの実施形態において、プロセッサ３２０は、ＲＡＴ制御装置３０６の機能を実行するように構成されているかもしれない。さらに、各ＲＡＴモジュールは、（示していない）１つ以上のアンテナを含むそれ自身のトランシーバを含んでいてもよい。ＲＡＴモジュールは、図１〜２を参照して上記で説明したＲＡＴタイプのうちの任意のものや、または他の何らかの容易に認識できるＲＡＴタイプを実現してもよい。
【００３４】
［００４２］
アクセス端末１０６はさらに、１つ以上の送信回路３３０ａ、３３０ｂ、および３３０ｎを備えている。送信回路３３０ａ、３３０ｂ、および３３０ｎは、アンテナ３７０ａ、３７０ｂ、および／または３７０ｎを介してワイヤレス通信信号を送信するように構成されている、１つ以上のコンポーネントを有する送信チェーンとして呼ばれてもよい。例えば、アンテナ３７０ａ、３７０ｂ、および／または３７０ｎを介した送信のためにワイヤレス通信信号を変調および準備する他の回路と同様に、送信回路３３０ａは、（示していない）変調器と、（示していない）デジタルアナログ（Ｄ／Ａ）変換器と、（示していない）増幅器とを含んでいてもよい。いくつかのケースにおいて、ＲＡＴ回路３０４は、送信回路３３０ａ、３３０ｂ、および３３０ｎを含んでいるかもしれず、各ＲＡＴモジュール３０２ａ、３０２ｂ、３０２ｃ、および３０２ｄが送信回路３３０ａ、３３０ｂ、および３３０ｎのうちの１つを含んでいるかもしれない。したがって、ＲＡＴモジュール３０２ａ、３０２ｂ、３０２ｃ、および３０２ｄのうちの１つに関係付けられている１つ以上の無線アクセス技術にしたがって送信するように、送信回路３３０ａ、３３０ｂ、および３３０ｎが構成されているかもしれない。いくつかのケースにおいて、１つの送信回路３３０ａを、アクセス端末１０６は有しているかもしれない。他のケースにおいて、送信回路３３０ａ、３３０ｂ、および３３０ｎのうちの１つ以上は、動作しているかもしれないし、または動作停止しているかもしれない。１つの態様において、送信回路３３０ａは、ＲＡＴモジュール３０２ａ、３０２ｂ、３０２ｃ、および３０２ｄのうちの１つに特有のコンポーネントを含んでいるかもしれない。例えば、ＲＡＴモジュール３０２ａがＯＦＤＭを使用してワイヤレス通信を実現するかもしれない一方で、第２のＲＡＴモジュール３０２ｂはＣＤＭＡを使用してワイヤレス通信を実現するかもしれない。したがって、１つの送信回路３３０ａがＯＦＤＭ通信のために構成されているコンポーネントを含んでいるかもしれない一方で、第２の送信回路３３０ｂはＣＤＭＡ通信のために構成されているコンポーネントを含んでいるかもしれない。
【００３５】
［００４３］
アクセス端末１０６はさらに、１つ以上の受信回路３４０ａ、３４０ｂ、および３４０ｎを備えている。受信回路３４０ａ、３４０ｂ、および３４０ｎは、アンテナ３７０ａ、３７０ｂ、および／または３７０ｎを介してワイヤレス通信信号を受信するように構成されている、１つ以上のコンポーネントを有する受信チェーンとして呼ばれることがある。例えば、アンテナ３７０ａ、３７０ｂ、および／または３７０ｎを介して受信したワイヤレス通信信号を受信および復調する他の回路と同様に、受信回路３４０ａは、（示していない）増幅器と、（示していない）アナログデジタル変換器と、（示していない）復調器とを含んでいてもよい。いくつかのケースにおいて、ＲＡＴ回路３０４は、受信回路３４０ａ、３４０ｂ、および３４０ｎを含んでいるかもしれず、各ＲＡＴモジュール３０２ａ、３０２ｂ、３０２ｃ、および３０２ｄが受信回路３４０ａ、３４０ｂ、および３４０ｎのうちの１つ以上を含んでいるかもしれない。したがって、ＲＡＴモジュール３０２ａ、３０２ｂ、３０２ｃ、および３０２ｄのうちの１つに関係付けられている無線アクセス技術にしたがって受信するように、受信回路３４０ａ、３４０ｂ、および３４０ｎのそれぞれが構成されているかもしれない。いくつかのケースにおいて、１つの受信回路３４０ａを、アクセス端末１０６は有しているかもしれない。他のケースにおいて、受信回路３４０ａ、３４０ｂ、および３４０ｎのうちの１つ以上は、動作しているかもしれないし、または動作停止しているかもしれない。
【００３６】
［００４４］
送信回路３３０ａ、３３０ｂ、および３３０ｎは、送信のために、ベースバンド信号を処理し、高周波（ＨＦ）信号へと変換をするかもしれない。次に、受信回路３４０ａ、３４０ｂ、および３４０ｎは、受信信号をデータバス３１７に送る前に、受信信号を処理およびバッファリングするかもしれない。送信回路３３０ａ、３３０ｂ、および３３０ｎは、アクセス端末１０６から信号を送信する前に、データバス３１７からのデータを処理およびバッファリングするかもしれない。送信回路３３０ａ、３３０ｂ、および３３０ｎならびに受信回路３４０ａ、３４０ｂ、および３４０ｎに対する異なる周波数帯域についての処理によって、アクセス端末１０６のさまざまなコンポーネントの適切なタイミングをプロセッサ／制御装置３２０が制御する。
【００３７】
［００４５］
送信回路３３０ａ、３３０ｂ、および３３０ｎならびに受信回路３４０ａ、３４０ｂ、および３４０ｎのそれぞれは、アンテナ３７０ａ、３７０ｂ、および３７０ｎのうちの１つ以上を介して、それぞれ送信および受信するように構成されているかもしれない。個々の送信回路３３０ａ、３３０ｂ、および３３０ｎならびに受信回路３４０ａ、３４０ｂ、および３４０ｎは、異なる無線アクセス技術に関係付けられている情報を、特定のアンテナ３７０ａ、３７０ｂ、または３７０ｎを介して送信および受信するかもしれない。例えば、同時音声およびデータモードに対して、アンテナ３７０ａを介して音声通信を送信するために１つの送信回路３３０ａが使用されるかもしれない一方で、アンテナ３７０ｂを介して非音声データを送信するために他の送信回路３３０ｂが使用されるかもしれない。他の方法で述べると、アンテナ３７０ａを介して音声通信（例えば、ｃｄｍａ２０００  １ｘ、およびこれに類するもの）を送信および受信するために第１の送信回路３３０ａが使用されるかもしれない一方で、アンテナ３７０ｂを介してデータのみの通信（例えば、ＬＴＥ、ＥＶ−ＤＯ、およびこれらに類するもの）のために第２の送信回路３３０ｂが使用されるかもしれない。結果として、複数の受信回路３４０ａ、３４０ｂおよび／または送信回路３３０ａ、３３０ｂのうちの少なくとも２つはそれぞれ、異なる無線アクセス技術に関連する少なくとも２つのネットワークのうちの異なる１つからのワイヤレス通信を、もう一方に関して同時に受信および／または送信するように構成されているかもしれない。送信回路３４０ａ、３４０ｂ、３４０ｎおよび受信回路３４０ａ、３４０ｂ、３４０ｎのうちの任意のものが、何らかの適切な無線アクセス技術を使用して同時に送信および受信するように構成されていてもよいことを、当業者は理解するであろう。
【００３８】
［００４６］
アンテナ３７０ａ、３７０ｂ、および３７０ｎを介した異なる周波数帯域からの信号の検出および／または処理のために、複数の送信回路３３０ａ、３３０ｂ、および３３０ｎならびに受信回路３４０ａ、３４０ｂ、および３４０ｎにプロセッサ／制御装置３２０が指示する。アンテナ３７０ａ、３７０ｂ、および３７０ｎは、アクセス端末１０６内の異なる物理的な位置に配置されていてもよい。例えば、アンテナ３７０ａ、３７０ｂ、および３７０ｎは、アクセス端末１０６の対向する（例えば、遠方または側方の）端または角にあってもよいし、あるいは互いに隣接していてもよい。一般的に、アンテナ３７０ａ、３７０ｂ、および３７０ｎは、望まれるようにまたはデバイス設計にしたがって、同様の配置または別々の配置に位置付けすることができる。
【００３９】
［００４７］
送信回路３３０ａ、３３０ｂ、および３３０ｎあるいは受信回路３４０ａ、３４０ｂ、および３４０ｎが送信および受信するように構成されているアンテナ３７０ａ、３７０ｂ、および３７０ｎをプロセッサ／制御装置３２０が選択できるように、スイッチング回路３６０が提供される。スイッチング回路３６０は、送信回路３３０ａ、３３０ｂ、および３３０ｎならびに受信回路３４０ａ、３４０ｂ、および３４０ｎに対応するＭ個の入力をアンテナ３７０ａ、３７０ｂ、および３７０ｎに対応するＮ個の出力にスイッチするように構成されている回路を備えているかもしれない。図３に示しているように、３つの送信回路３３０ａ、３３０ｂ、および３３０ｎや、３つの受信回路３４０ａ、３４０ｂ、および３４０ｎや、３つのアンテナ３７０ａ、３７０ｂ、および３７０ｎよりも、多くてもまたは少なくてもよい。１つの例として、スイッチング回路３６０は、クロスバースイッチまたは他の適切なスイッチング回路として構成されていてもよい。アンテナ３７０ａ、３７０ｂ、および３７０ｎの任意の組み合わせを介してそれぞれ送信および受信するために、送信回路３３０ａ、３３０ｂ、および３３０ｎならびに受信回路３４０ａ、３４０ｂ、および３４０ｎをスイッチするようにプロセッサ／制御装置３２０が構成されていてもよい。
【００４０】
［００４８］
プロセッサ／制御装置３２０は、データバス３１７のデータ管理の機能と、メモリユニット３０８の命令コンテンツを実行することを含む一般的なデータ処理の機能とを実行する。メモリユニット３０８は、１セットのモジュールおよび／または命令を含んでいるかもしれない。以下で記述する実施形態において示し記述する、アクセス端末１０６のプロセスステップに特有の命令は、メモリユニット３０８のコンテンツ中に含まれるさまざまな機能においてコード化することができる。１つの実施形態において、メモリユニット３０８はＲＡＭ（ランダムアクセスメモリ）回路である。ハンドオフ機能のようないくつかの通信デバイス機能は、ソフトウェアルーチン、モジュール、および／またはデータセットである。メモリユニット３０８は、（示していない）他のメモリ回路に結び付けられることがあり、そのようなメモリ回路は、揮発性タイプであっても、または不揮発性タイプであってもよい。代替として、メモリユニット３０８は、ＥＥＰＲＯＭ（電気的消去可能プログラマブル読み出し専用メモリ）、ＥＰＲＯＭ（電気的プログラマブル読み出し専用メモリ）、ＲＯＭ（読み出し専用メモリ）、ＡＳＩＣ（特定用途向け集積回路）、磁気ディスク、光学ディスク、および技術的によく知られている他のもののような、他の回路タイプからなることがある。さらに、メモリユニット３０８は、ＡＳＩＣと、揮発性および／または不揮発性タイプのメモリ回路との組み合わせとすることができる。
【００４１】
［００４９］
アクセス端末１０６はさらに、デバイス状態センサ３５０を備えているかもしれない。デバイス状態センサは、デバイスがどのように使用されているか、取り扱われているか、および／または位置付けられているかにしたがって、デバイスの１つ以上の状態またはモードを検出するように構成されているかもしれない。例えば、アクセス端末１０６に関してユーザまたは他の物体の近接を検出するように構成されている近接センサとして、デバイス状態センサ３５０は構成されていてもよい。１つの実施形態において、デバイス状態センサ３５０は複数の近接センサを含んでいる。複数の近接センサのそれぞれは、アンテナ３７０ａ、３７０ｂ、および３７０ｎのすぐ隣に配置されていてもよい。それぞれのアンテナ３７０ａ、３７０ｂ、および３７０ｎの近接に物体がある（例えば、ブロックしている）か否かを検出するように、複数の近接センサのそれぞれが構成されている。デバイス状態センサ３５０はさらに、方向センサを含んでいてもよく、および／または方向センサとして構成されていてもよく、方向センサは、アクセス端末１０６のユーザに関してアクセス端末１０６の方向を検出するように構成されているかもしれない。例えば、方向センサは、加速度計、ジャイロスコープ、またはこれらに類するもののような、任意の適切なセンサを含んでいてもよい。デバイス状態センサ３５０はさらに、アクセス端末１０６の一時的な条件または状態を検出する他のタイプのセンサを含んでいてもよい、ならびに／あるいはアクセス端末１０６の一時的な条件または状態を検出する他のタイプのセンサとして構成されていてもよい。１つの機能ブロックとして示しているが、異なるタイプの複数のデバイス状態センサが備えられていてもよい。例えば、別個の近接センサおよび別個の方向センサの両方を、アクセス端末１０６が備えていてもよい。
【００４２】
［００５０］
本明細書および添付された特許請求の範囲において、“回路”という用語が構造的な用語として解釈されるのであって機能的な用語として解釈されるのではないことが明確であるべきである。例えば、回路は、図３において示し記述しているような、処理および／またはメモリの、セル、モジュール、ユニット、ブロック、およびこれらに類するものの形態の、多様な集積回路コンポーネントのような、回路コンポーネントの集約であることがある。
【００４３】
［００５１］
別々に記述しているが、アクセス端末１０６に関して記述している機能ブロックが別個の構造的なエレメントである必要はないことを認識すべきである。例えば、プロセッサ３２０と、メモリユニット３０８と、ＲＡＴモジュール３０２ａ、３０２ｂ、３０２ｃ、および３０２ｄとを、単一のチップ上に具現化してもよい。プロセッサ３２０は、追加的にまたは代替実施形態において、プロセッサレジスタのようなメモリを含んでいてもよい。同様に、機能ブロックのうちの１つ以上を、またはさまざまなブロックの機能性の一部分を、単一のチップ上で具現化してもよい。代替的に、特定のブロックの機能性を２つ以上のチップ上で実現してもよい。
【００４４】
［００５２］
アクセス端末１０６の性能は、アクセス端末１０６へのおよびアクセス端末１０６からの受信信号および送信信号の妨害によって影響を受けるかもしれない。例えば、アンテナをブロックする物体（例えば、手または身体）が原因で、デバイス性能は著しく影響を受けるかもしれない。いくつかのシナリオにおいて、影響は、切断された通話またはページング失敗へとつながるかもしれない。また、いくつかのインスタンスにおいて、ブロックすることがより高い送信電力を引き起こすかもしれず、より高い送信電力は、通信ネットワークへの増加した干渉および高い電力消費につながるかもしれない。したがって、アンテナのさまざまな性能特性に基づく、信号受信および／または信号送信に対するアンテナの選択のための、システム、装置、および方法が必要とされている。選択はいくつかの要因に依存するかもしれず、このことは以下で詳細に記述する。これらの要因に依存して、信号の受信／送信を改善するような方法で、アンテナのうちの１つ以上が選択されるかもしれない。
【００４５】
［００５３］
図４は、いくつかの実施形態にしたがった、図３において示したアクセス端末１０６の一部分の機能ブロックダイヤグラムである。いくつかの実施形態において、アクセス端末１０６は、２つのアンテナ３７０ａおよび３７０ｂを備えているかもしれない。アクセス端末はさらに、２つの送信回路３３０ａ、３３０ｂと、２つの受信回路３４０ａ、３４０ｂと、スイッチング回路３６０と、プロセッサ／制御装置３２０とを備えているかもしれない。アンテナ３７０ａおよび３７０ｂは、送信回路３３０ａ、３３０ｂと受信回路３４０ａ、３４０ｂとを含む、送信回路および受信回路のうちの任意のものによって使用されるかもしれない。いくつかの実施形態において、送信回路３３０ａ、３３０ｂおよび受信回路３４０ａ、３４０ｂは、特定の無線アクセス技術に関係付けられている情報をそれぞれ送信および受信するかもしれない。例えば、送信回路３３０ａおよび受信回路３４０ａは、データのみの通信を送信および受信するために使用されてもよく、送信回路３３０ｂおよび受信回路３４０ｂは、音声通信を送信および受信するために使用されてもよい。
【００４６】
［００５４］
上述したように、送信回路３３０ａ、３３０ｂおよび受信回路３４０ａ、３４０ｂは、複数のアンテナ３７０ａおよび３７０ｂを使用して、同時に送信および受信をするかもしれない。しかしながら、上述したように、これらに限定されないが、アクセス端末１０６上のアンテナの配置や、アンテナ３７０ａおよび３７０ｂへの外部の物体の近接や、または固有のアンテナ特性に関連するかもしれない、多数の要因のうちのいずれかの１つに基づいて、１つのアンテナ（例えば、アンテナ３７０ｂ）の性能が他のアンテナ（例えば、アンテナ３７０ａ）よりも良いかもしれない。さらに、ある送信回路は動作の間、異なるデータ送信優先順位または送信電力選択を有しているかもしれない。
【００４７】
［００５５］
アンテナ性能に影響を与えるさまざまな要因は、結果としてアンテナ３７０ａおよび３７０ｂのうちの１つ以上が感度低下する、あるいはそうでなければ、結果としてアンテナ３７０ａおよび／または３７０ｂの１つ以上の性能特性が低減されることになる、ある動作条件を含んでいるかもしれない。例えば、アクセス端末１０６の周囲にユーザの手が覆われており、アンテナ３７０ａおよび３７０ｂのうちの１つ以上を事実上ブロックしているかもしれない。他の例として、アンテナ３７０ａおよび／または３７０ｂが理想の受信条件および／または送信条件未満で動作するかもしれないようにアクセス端末１０６が位置付けられているかもしれない。これらのシナリオは受信信号の電力レベルを低減させるかもしれず、したがって信号を受信および復調することをより難しくさせるかもしれない。これらのシナリオは、信号を効率的に送信することも難しくするかもしれない。例えば、アンテナ３７０ａおよび３７０ｂのうちの１つ以上をブロックすることは総信号強度を低減させるかもしれないので、送信回路３３０ａ、３３０ｂ、および３３０ｎは電力レベルを増加させる必要があるかもしれない。しかしながら、増加される送信電力レベルに関して、規制的な無線周波数（ＲＦ）安全要件にアクセス端末１０６はしたがうかもしれず、市場に入る前は特定のガイドライン内で動作することが要求されるかもしれない。例えば、人間の身体の近くで動作しているデバイスは、それらの電磁波が生成する比吸収率（“ＳＡＲ”）を決定するように評価される。ＳＡＲは、損失媒体における質量の単位ごとの電磁エネルギー吸収の時間レートであり、次のように表される。
【数１】
0006430372.tif 000002
【００４８】
Ｅ（ｒ）はｒ点での外因性の電場であり、一方σ（ｒ）およびρ（ｒ）はそれぞれ、対応する等価電気伝導率および質量密度である。１つの態様において、これらのセーフティガイドラインは、許容送信電力レベルの量を制限するかもしれない。したがって、アンテナ３７０ａおよび３７０ｂのうちの１つ以上がブロックされるとき、ＳＡＲ制限を超えることを避けるために、許容される最大送信電力レベルは著しく低減されるかもしれない。
【００４９】
［００５６］
アクセス端末１０６の動作がアンテナ３７０ａおよび／または３７０ｂの性能に影響を与えるかもしれないので、ここで記述する実施形態によって提供されるような、受信回路３４０ａ、３４０ｂおよび送信回路３３０ａ、３３０ｂをアンテナ３７０ａおよび／または３７０ｂに結合させるための動的なシステムおよび方法を有することが望ましいかもしれない。したがって、ここで記述するさまざまな実施形態のある態様は、異なるアンテナ３７０ａおよび３７０ｂを介して送信および受信するために、送信回路３３０ａ、３３０ｂおよび受信回路３４０ａ、３４０ｂをスイッチさせて、アクセス端末１０６の性能を改善することに向けられている。例えば、最高優先順位の通信を受信している受信回路３４０ｂが、アンテナ３７０ａより良い性能特性を有するアンテナ３７０ｂを介して受信することは、望ましいかもしれない。さらに、受信回路３４０ｂおよび／または送信回路３３０ｂが最高の働きをしているアンテナ３７０ｂに結合される場合、他の受信および／または送信回路電力要件は結果として改善された性能になるかもしれない。１つの実施形態において、送信回路および受信回路の動的なスイッチは、手／身体がブロックすることを緩和するかもしれず、性能への最小のコストで規制的要件を満たすような方法、および／または良い送信条件および受信条件を可能にするような方法で、アンテナを選択することを可能にするかもしれない。さらに、１つの態様において、送信アンテナ選択が干渉の緩和を可能にするかもしれず、最小量の送信電力を使用することでサービスの目標品質を提供するかもしれない。
【００５０】
［００５７］
図４を参照すると、プロセッサ／制御装置３２０は、アンテナ３７０ａまたはアンテナ３７０ｂのいずれかを介して通信するように、送信回路３３０ｂおよび受信回路３４０ｂをスイッチするように構成されているかもしれない。送信回路３３０ｂによって使用されるアンテナと同一のアンテナ３７０ａまたは３７０ｂを介して通信するように受信回路３４０ｂが構成されているという点で、受信回路３４０ｂが送信回路３３０ｂと関係付けられているかもしれない。したがって、プロセッサ／制御装置３２０は、アンテナ３７０ａまたはアンテナ３７０ｂを介してそれぞれ送信および受信をするように、送信回路３３０ｂおよび受信回路３４０ｂをスイッチするように構成されているかもしれない。他の方法で述べると、第１の受信回路３４０ｂは送信回路３３０ｂと一緒にスイッチされるように構成されているかもしれない。いくつかの実施形態において、送信回路３３０ｂおよび受信回路３４０ｂは、送信回路３３０ａおよび受信回路３４０ａを使用して送信および受信される通信よりも高い優先順位を有する通信を送信および受信するように構成されているかもしれない。例えば、より高い優先順位の通信は音声通信を含んでいてもよく、より低い優先順位の通信はデータのみの通信を含んでいてもよい。さらに、送信回路３３０ａおよび受信回路３４０ａは、送信回路３３０ｂおよび受信回路３４０ｂによって使用されていない、アンテナ３７０ａまたは３７０ｂのうちのいずれかを介して通信するように構成されているかもしれない。したがって、プロセッサ／制御装置３２０は、アンテナ３７０ａを介して通信するように送信回路３３０ａおよび受信回路３４０ａをスイッチして、アンテナ３７０ａよりも良い性能特性を有するアンテナ３７０ｂを介して通信するように、送信回路３３０ｂおよび受信回路３４０ｂをスイッチするように構成されているかもしれない。いくつかの実施形態において、送信回路３３０ａおよび受信回路３４０ａによって通信される通信と比較して、送信回路３３０ｂおよび受信回路３４０ｂによって通信される通信のより高い優先順位が原因で、スイッチは生じるかもしれない。
【００５１】
［００５８］
受信回路３４０ａおよび受信回路３４０ｂは、受信電力レベルを測定するように構成されている測定回路３４２ｂおよび３４２ｄをそれぞれ含んでいるかもしれない。１つの例として、受信自動利得制御（ＡＧＣ）測定を収集するように、測定回路３４２ｂおよび３４２ｄが構成されているかもしれない。送信回路３３０ａおよび送信回路３３０ｂもまた、送信電力レベルを測定するように構成されている測定回路３４２ａおよび３４２ｃをそれぞれ含んでいるかもしれない。１つの例として、送信自動利得制御（ＡＧＣ）測定を収集するように、測定回路３４２ａおよび３４２ｃが構成されているかもしれない。
【００５２】
［００５９］
アンテナとともに、送信回路および受信回路の数がここで記述した数より大きい場合または少ない場合にも、図４に関して上述した原理を同様に適用してよいことを認識すべきである。したがって、プロセッサ／制御装置３２０は、さまざまなアンテナ３７０ａ、３７０ｂ、および３７０ｎの性能特性に基づいて、複数の送信回路３３０ａ、３３０ｂ、および３３０ｎをスイッチするように構成されていてもよい。
【００５３】
［００６０］
図５は、いくつかの実施形態にしたがった、ワイヤレス通信装置によって実現される例示的な方法９００のインプリメンテーションのフローチャートを示している。例えば、方法９００は、アクセス端末１０６として実現されるワイヤレス通信装置において実現されるかもしれない。アクセス端末１０６のエレメントに関して方法９００を以下で記述しているが、ここで記述するブロックのうちの１つ以上を実現するのに他のコンポーネントを使用してもよいことを当業者は認識するであろう。
【００５４】
［００６１］
ブロック９０２において、第１のアンテナと第２のアンテナとのうちの少なくとも１つの１つ以上のアップリンク性能特性に少なくとも部分的に基づいて、第１のアンテナを介してワイヤレス通信を送信することから、第２のアンテナを介してワイヤレス通信を送信することへ、第１の送信回路は選択的にスイッチされる。１つの態様において、プロセッサ／制御装置３２０が、スイッチを実行するようにスイッチ回路３６０を制御するかもしれない。
【００５５】
［００６２］
１つ以上のアップリンク性能特性は、任意の数および任意のタイプのアンテナアップリンク性能特性を含んでいてもよい。１つの例として、送信自動利得制御（ＴｘＡＧＣ）測定を収集するように、測定回路３４２ａおよび３４２ｃが構成されているかもしれない。これらのＴｘＡＧＣ測定は、測定される、第１のアンテナと第２のアンテナとのうちの少なくとも１つのアップリンク性能特性であってもよい。
【００５６】
［００６３］
いくつかの態様において、第１のアンテナと第２のアンテナとのうちの少なくとも１つの１つ以上のアップリンク性能特性に少なくとも部分的に基づいて、第１のアンテナを介してワイヤレス通信を受信することから、第２のアンテナを介してワイヤレス通信を受信することへ、第１の受信回路もまたスイッチされるかもしれない。
【００５７】
［００６４］
いくつかの態様において、第１のアンテナと第２のアンテナとのうちの少なくとも１つのアップリンク性能特性はしきい値と比較されるかもしれない。いくつかの態様において、しきい値は予め定められているかもしれない。例えば、第１のアンテナから第２のアンテナへスイッチするか否かを決定するのに使用されるかもしれないしきい値により、アクセス端末１０６が予めプログラムされていることがあるかもしれない。いくつかの態様において、手または他の物体が第１のアンテナを妨害している場合のような、ある方法においてもたらされるかもしれない干渉の程度に、しきい値は少なくとも部分的に基づいていてもよい。いくつかの態様において、しきい値は絶対値であってもよい。例えば、第１のアンテナと第２のアンテナとのうちの少なくとも１つのアップリンク性能特性が、ｄＢｍの何らかの数より、または、それによってアップリンク性能特性を測定するかもしれない他の何らかのメトリックより、上または下のいずれであるかを決定するために、しきい値は使用されるかもしれない。
【００５８】
［００６５］
図６は、図５において図示したブロック９０２を詳細に説明する、例示的な方法９０２のインプリメンテーションのフローチャートを示している。例えば、方法９０２は、アクセス端末１０６として実現されるワイヤレス通信装置において実現されるかもしれない。アクセス端末１０６のエレメントに関して方法９０２を以下で記述するが、ここで記述するブロックのうちの１つ以上を実現するために他のコンポーネントを使用してもよいことを当業者は認識するであろう。
【００５９】
［００６６］
ブロック９０４において、第１のアンテナと第２のアンテナとのうちの少なくとも１つのアップリンク性能特性をアクセス端末１０６が決定する。アップリンク性能特性は、任意の数および任意のタイプのアンテナアップリンク性能特性を含んでいてもよい。１つの例として、送信自動利得制御（ＴｘＡＧＣ）測定を収集するように、測定回路３４２ａおよび３４２ｃが構成されているかもしれない。これらのＴｘＡＧＣ測定は、測定される、第１のアンテナと第２のアンテナとのうちの少なくとも１つのアップリンク性能特性であってもよい。
【００６０】
［００６７］
ブロック９０６において、第１のアンテナと第２のアンテナとのうちの少なくとも１つのアップリンク性能特性に基づいて、アクセス端末１０６は第２のアンテナにスイッチする。例えば、いくつかの態様において、第１のアンテナのアップリンク性能特性を、アクセス端末１０６が決定するかもしれない。これらのアップリンク性能特性は、しきい値と比較されるかもしれない。第１のアンテナのアップリンク性能特性がしきい値より上の場合に、アクセス端末１０６は第２のアンテナにスイッチするかもしれない。
【００６１】
［００６８］
いくつかの態様において、第１のアンテナと第２のアンテナの両方のアップリンク性能特性をアクセス端末１０６は決定するかもしれない。アクセス端末１０６はこれらの性能特性を互いに比較するかもしれない。いくつかの態様において、第２のアンテナのアップリンク性能特性が第１のアンテナのアップリンク性能特性より低い場合に、アクセス端末１０６は第２のアンテナにスイッチするかもしれない。いくつかの態様において、第２のアンテナのアップリンク性能特性が第１のアンテナのアップリンク性能特性よりあるマージンだけ低い場合に、アクセス端末１０６は第２のアンテナにスイッチするかもしれない。例えば、しきい値が使用されるかもしれず、それによって、第２のアンテナのアップリンク性能特性が第１のアンテナのアップリンク性能特性より少なくともしきい値量だけ低い場合にのみ、アクセス端末１０６は第２のアンテナにスイッチするかもしれない。
【００６２】
［００６９］
図７は、図５において図示したブロック９０２を詳細に説明する、例示的な方法９０２のインプリメンテーションのフローチャートを示している。例えば、方法９０２は、アクセス端末１０６として実現されるワイヤレス通信装置において実現されるかもしれない。アクセス端末１０６のエレメントに関して方法９０２を以下で記述するが、ここで記述するブロックのうちの１つ以上を実現するために他のコンポーネントを使用してもよいことを当業者は認識するであろう。
【００６３】
［００７０］
ブロック９１０において、第１のアンテナのアップリンク性能特性をアクセス端末１０６が決定する。例えば、第１のアンテナのＴｘＡＧＣを、アクセス端末１０６が決定するかもしれない。
【００６４】
［００７１］
ブロック９１２において、第１のアンテナの１つ以上のアップリンク性能特性がしきい値未満である場合に、第１のアンテナおよび第２のアンテナの１つ以上のダウンリンク性能特性をアクセス端末１０６が決定する。
【００６５】
［００７２］
例えば、しきい値は、音声通信、またはデータのみの通信のような、送信されている通信の特定のタイプをサポートするのに十分な電力レベルを含んでいてもよい。いくつかの態様において、しきい値は、アクセス端末１０６にプログラムされているように、予め決定されていてもよい。いくつかの態様において、しきい値は、デバイス上で使用するアプリケーションに基づいていてもよい。いくつかの態様において、しきい値は、ネットワークによって与えられる値であってもよい。
【００６６】
［００７３］
第１のアンテナおよび第２のアンテナの何らかのタイプのダウンリンク性能特性を、アクセス端末１０６が決定するかもしれない。例えば、各アンテナに現在スイッチされている受信回路３４０ａ、３４０ｂ、または３４０ｎを使用して各アンテナのＲｘＡＧＣを測定することによって、アンテナの受信電力レベルが取得されるかもしれない。例えば、測定回路３４２ｂおよび３４２ｄを使用して、第１のアンテナを使用して受信される信号の電力レベルが検出されるかもしれない。上述したように、第１のアンテナまたは第２のアンテナの性能特性に影響を与える要因は、アクセス端末１０６上のさまざまなアンテナの配置や、アンテナへの外部の物体の近接や、または固有のアンテナ特性を含んでいるかもしれない。例えば、第１のアンテナを備えているアクセス端末１０６の一部分の周囲にユーザの手が覆われており、最初はアンテナを事実上ブロックしているかもしれない。他の例として、第１のアンテナが理想の受信条件および／または送信条件未満で動作するように、アクセス端末１０６が位置付けられているかもしれない。
【００６７】
［００７４］
ブロック９１４において、第２のアンテナの１つ以上のダウンリンク性能特性が第１のアンテナの１つ以上のダウンリンク性能特性より大きい場合に、アクセス端末１０６は第２のアンテナにスイッチする。いくつかの態様において、第２のアンテナのアップリンク性能特性が第１のアンテナのアップリンク性能特性より悪いことが後に分かる場合に、アクセス端末１０６はさらに第１のアンテナにスイッチバックするかもしれない。いくつかの態様において、アクセス端末１０６は、第１の送信回路をスイッチするのと同時に、第１の受信回路も第１のアンテナから第２のアンテナにスイッチするかもしれない。
【００６８】
［００７５］
図８は、いくつかの実施形態にしたがった、ワイヤレス通信システム１００内で用いられるかもしれない、例示的なワイヤレス通信装置１０００の機能ブロックダイヤグラムである。図３および／または４において示したコンポーネントのうちの任意の１つ以上のようなより多くのコンポーネントをワイヤレス通信デバイス１０００が有していてもよいことを、当業者は認識するであろう。示したワイヤレス通信デバイス１０００は、ある実施形態のいくつかの顕著な特徴を記述するために有用なコンポーネントのみを備えている。デバイス１０００は、受信モジュール１００２と送信モジュール１００４とを備えている。いくつかのケースにおいて、受信する手段は受信モジュール１００２を備えているかもしれない。いくつかの実施形態において、受信モジュール１００２は第１の受信回路を含む複数の受信回路を含んでいるかもしれず、複数の受信回路のうちの少なくとも２つはそれぞれ、異なる無線アクセス技術に関連している少なくとも２つのネットワークのうちの異なる１つからのワイヤレス通信を、もう一方に関して同時に受信するように構成されている。例えば、複数の受信回路は、受信回路３４０ａ、３４０ｂ、および３４０ｎを含んでいるかもしれない。いくつかのケースにおいて、送信する手段は送信モジュール１００４を備えているかもしれない。いくつかの実施形態において、送信モジュール１００４は、送信回路３３０ａ、３３０ｂ、および３３０ｎのような複数の送信回路を含んでいるかもしれない。デバイス１０００はさらに、第１のアンテナ１００６と、第２のアンテナ１００８と、第３のアンテナ１０１２とを備えている。デバイス１０００はさらにスイッチングモジュール１０１０を備えている。スイッチングモジュール１０１０は、図５のブロック９０２に関して上述した機能のうちの１つ以上を実行するように構成されているかもしれない。例えば、スイッチングモジュール１０１０は、第１のアンテナと第２のアンテナとのうちの少なくとも１つの１つ以上の性能特性に基づいて、第１のアンテナを介してワイヤレス通信を受信することから、第２のアンテナを介してワイヤレス通信を受信するように、第１の受信回路を選択的にスイッチするように構成されていてもよい。いくつかのケースにおいて、スイッチする手段および／または選択的にスイッチする手段は、スイッチングモジュール１０１０を備えているかもしれない。スイッチングモジュール１０１０および／またはスイッチする手段は、プロセッサ／制御装置３２０および／またはスイッチング回路３６０を含んでいるかもしれない。
【００６９】
［００７６］
さらに、受信モジュール、送信モジュール、受信する手段、および／または送信する手段は、図６のブロック９０４〜９０６および／または図７のブロック９１０〜９１４に関して上述した機能のうちの１つ以上を実行するように構成されているかもしれない。いくつかの実施形態において、スイッチングモジュール１０１０および／またはスイッチする手段は、図６のブロック９０４〜９０６および／または図７のブロック９１０〜９１４に関して上述した機能のうちの１つ以上を実行するように構成されているかもしれない。
【００７０】
［００７７］
ソフトウェア中で実現される場合、上述した機能、ステップ、および／またはブロックは、コンピュータ読み取り可能媒体上で１つ以上の命令またはコードとして記憶されていてもよく、あるいはコンピュータ読み取り可能媒体上で１つ以上の命令またはコードとして送信されてもよい。ここで開示した方法またはアルゴリズムのステップは、コンピュータ読み取り可能媒体上に存在するかもしれないプロセッサ実行可能ソフトウェアモジュールにおいて実現されるかもしれない。コンピュータ読み取り可能媒体は、物理コンピュータ記憶媒体と通信媒体の両方を含んでおり、通信媒体は、１つの場所から他の場所へコンピュータプログラムを転送するようにイネーブルされることができる何らかの媒体を含んでいる。記憶媒体は、コンピュータによってアクセスできる何らかの利用可能な媒体であってもよい。限定ではなく例として、このようなコンピュータ読み取り可能媒体は、ＲＡＭや、ＲＯＭや、ＥＥＰＲＯＭや、ＣＤ−ＲＯＭまたは他の光学ディスク記憶装置や、磁気ディスク記憶装置または他の磁気記憶デバイスや、あるいは、コンピュータによってアクセスでき命令またはデータ構造の形態で所望のプログラムコードを記憶するのに使用することができる他の何らかの媒体を含んでいてもよい。任意の接続もコンピュータ読み取り可能媒体と適切に呼ばれることがある。ここで使用するようなディスク（ｄｉｓｋ）およびディスク（ｄｉｓｃ）は、コンパクトディスク（ＣＤ）、レーザディスク（登録商標）、光ディスク、デジタル汎用ディスク（ＤＶＤ）、フロッピー（登録商標）ディスク、およびブルーレイディスクを含んでおり、ディスク（ｄｉｓｋ）は一般的にデータを磁気的に再生するが、ディスク（ｄｉｓｃ）はデータをレーザによって光学的に再生する。先のものを組み合わせたものもまた、コンピュータ読み取り可能媒体の範囲内に含められるべきである。さらに、方法またはアルゴリズムの動作は、コードおよび命令のうちの１つとして、またはコードおよび命令の任意の組み合わせとして、またはコードおよび命令の１セットとして、機械読み取り可能媒体およびコンピュータ読み取り可能媒体上に存在していてもよく、これは、コンピュータプログラムプロダクトに組み込まれていてもよい。
【００７１】
［００７８］
さらに、上述したシステムおよび方法によって示されているように、ここでの教示は、少なくとも１つの他のデバイスと通信するためにさまざまなコンポーネントを用いるデバイスに組み込まれていてもよい。図９は、いくつかの実施形態にしたがった、デバイス間での通信を促進するのに用いられるかもしれないいくつかのサンプルコンポーネントを図示している。特に、図９は、複数入力複数出力（ＭＩＭＯ）システム１５００の、第１のワイヤレスデバイス１５１０（例えば、アクセスポイント）と第２のワイヤレスデバイス１５５０（例えば、アクセス端末）との簡略化したブロックダイヤグラムである。第１のデバイス１５１０において、多数のデータストリームに対するトラフィックデータが、データソース１５１２から送信（ＴＸ）データプロセッサ１５１４に提供される。
【００７２】
［００７９］
いくつかの態様において、各データストリームはそれぞれの送信アンテナを介して送信される。ＴＸデータプロセッサ１５１４は、各データストリームに対するトラフィックデータを、そのデータストリームに対して選択した特定のコーディングスキームに基づいて、フォーマットし、コード化し、インターリーブして、コード化したデータを提供する。
【００７３】
［００８０］
各データストリームに対するコード化したデータは、ＯＦＤＭ技術を使用してパイロットデータと多重化されるかもしれない。パイロットデータは、典型的に、既知の方法で処理されている既知のデータパターンであり、チャネル応答を推定するために受信機システムにおいて使用されるかもしれない。各データストリームに対する多重化されたパイロットデータおよびコード化したデータはその後、そのデータストリームに対して選択した特定の変調スキーム（例えば、ＢＰＳＫ、ＱＳＰＫ、Ｍ−ＰＳＫ、またはＭ−ＱＡＭ）に基づいて変調され（すなわち、シンボルマッピングされる）て、変調シンボルが提供される。各データストリームに対するデータレート、コーディング、および変調は、プロセッサ１５３０によって実行される命令によって決定されるかもしれない。データメモリ１５３２は、プロセッサ１５３０によってまたはデバイス１５１０の他のコンポーネントによって使用されるプログラムコード、データ、および他の情報を記憶するかもしれない。
【００７４】
［００８１］
すべてのデータストリームに対する変調シンボルはその後ＴＸ  ＭＩＭＯプロセッサ１５２０に提供され、ＴＸ  ＭＩＭＯプロセッサ１５２０はさらに（例えば、ＯＦＤＭのために）変調シンボルを処理するかもしれない。ＴＸ  ＭＩＭＯプロセッサ１５２０はその後、ＮＴ個のトランシーバ（ＸＣＶＲ）１５２２Ａないし１５２２Ｔに、ＮＴ個の変調シンボルストリームを提供する。いくつかの態様において、ＴＸ  ＭＩＭＯプロセッサ１５２０は、データストリームのシンボルと、シンボルがそこから送信されているアンテナとに対して、ビーム形成重みを適用する。
【００７５】
［００８２］
各トランシーバ１５２２は、それぞれのシンボルストリームを受け取りおよび処理して１つ以上のアナログ信号を提供し、さらに、アナログ信号を調整（例えば、増幅、フィルタリング、およびアップコンバート）して、ＭＩＭＯチャネルを介した送信に対して適切な変調された信号を提供する。トランシーバ１５２２Ａないし１５２２ＴからのＮＴ個の変調された信号はその後それぞれ、ＮＴ個のアンテナ１５２４Ａないし１５２４Ｔから送信される。
【００７６】
［００８３］
第２のデバイス１５５０において、送信された変調信号はＮＲ個のアンテナ１５５２Ａないし１５５２Ｒによって受信され、各アンテナ１５５２からの受信信号はそれぞれのトランシーバ（ＸＣＶＲ）１５５４Ａないし１５５４Ｒに提供される。各トランシーバ１５５４は、それぞれの受信信号を調整（例えば、フィルタリング、増幅、およびダウンコンバート）し、調整した信号をデジタル化してサンプルを提供し、さらに、サンプルを処理して対応する“受信”シンボルストリームを提供する。
【００７７】
［００８４］
受信（ＲＸ）データプロセッサ１５６０はその後、特定の受信機処理技術に基づいて、ＮＲ個のトランシーバ１５５４からのＮＲ個の受信シンボルストリームを受け取りおよび処理して、ＮＴ個の“検出”シンボルストリームを提供する。ＲＸデータプロセッサ１５６０はその後、各検出シンボルストリームを復調し、デインターリーブし、デコードして、データストリームに対するトラフィックデータを復元する。ＲＸデータプロセッサ１５６０による処理は、デバイス１５１０においてＴＸ  ＭＩＭＯプロセッサ１５２０とＴＸデータプロセッサ１５１４とによって実行された処理に対して相補的である。
【００７８】
［００８５］
プロセッサ１５７０は、どのプリコーディング行列を使用するかを周期的に決定する（以下で議論している）。プロセッサ１５７０は、行列インデックス部分とランク値部分を含むリバースリンクメッセージを構築する。データメモリ１５７２は、プロセッサ１５７０によってまたは第２のデバイス１５５０の他のコンポーネントによって使用されるプログラムコード、データ、および他の情報を記憶するかもしれない。
【００７９】
［００８６］
リバースリンクメッセージは、通信リンクおよび／または受信データストリームに関するさまざまなタイプの情報を含んでいてもよい。リバースリンクメッセージはその後、多数のデータストリームに対するトラフィックデータをデータソース１５３６からも受け取るＴＸデータプロセッサ１５３８によって処理され、変調器１５８０によって変調され、トランシーバ１５５４Ａないし１５５４Ｒによって調整され、デバイス１５１０に返送される。
【００８０】
［００８７］
デバイス１５１０において、第２のデバイス１５５０からの変調信号は、アンテナ１５２４によって受信され、トランシーバ１５２２によって調整され、復調器（ＤＥＭＯＤ）１５４０によって復調され、ＲＸデータプロセッサ１５４２によって処理されて、第２のデバイス１５５０によって送信されたリバースリンクメッセージが抽出される。プロセッサ１５３０はその後、ビーム形成重みを決定するためにどのプリコーディング行列を使用するかを決定し、その後、抽出したメッセージを処理する。
【００８１】
［００８８］
図９は、ここで教示するように、アクセス制御動作を実行する１つ以上のコンポーネントを通信コンポーネントが備えていてもよいということも図示している。例えば、ここで教示するように、アクセス制御コンポーネント１５９０は、他のデバイス（例えば、デバイス１５５０）に／から信号を送る／受信するために、プロセッサ１５３０と、および／またはデバイス１５１０の他のコンポーネントと共同してもよい。同様に、アクセス制御コンポーネント１５９２は、他のデバイス（例えば、デバイス１５１０）に／から信号を送る／受信するために、プロセッサ１５７０と、および／またはデバイス１５５０の他のコンポーネントと共同してもよい。各デバイス１５１０および１５５０について、記述しているコンポーネントのうちの２つ以上の機能性を単一のコンポーネントによって提供してもよいことを認識すべきである。例えば、単一の処理コンポーネントがアクセス制御コンポーネント１５９０とプロセッサ１５３０との機能性を提供していてもよく、単一の処理コンポーネントがアクセス制御コンポーネント１５９２とプロセッサ１５７０との機能性を提供していてもよい。さらに、図３に関して記述した装置１５００のコンポーネントは、図９のコンポーネントと組み合わされていてもよく／図９のコンポーネントに組み込まれていてもよい。
【００８２】
［００８９］
“第１の”や、“第２の”などのような表記を使用する、ここでのエレメントに対する何らかの参照は、一般的にこれらのエレメントの量または順序を制限しないことを理解すべきである。むしろ、これらの表記は、２つ以上のエレメント間で、またはエレメントの２つ以上のインスタンス間で識別する便利な方法としてここで使用している。したがって、第１のエレメントおよび第２のエレメントに対する参照は、２つのエレメントのみをここで用いることや、あるいは、いくつかの態様で第１のエレメントが第２のエレメントに先行しなければならないことを意味しているのではない。また、そうではないことが言及されていない限り、１組のエレメントは１つ以上のエレメントを含んでいてもよい。
【００８３】
［００９０］
さまざまな異なる技術および技法のうちの任意のものを使用して、情報および信号を表してもよいことを当業者は理解するだろう。例えば、上記の説明全体にわたって参照したかもしれないデータ、命令、コマンド、情報、信号、ビット、シンボル、およびチップは、電圧、電流、電磁波、磁界または磁粒子、光学界または光粒子、あるいはこれらの何らかの組み合わせにより表してもよい。
【００８４】
［００９１］
ここで開示した態様に関連して記述したさまざまな例示的な論理ブロック、モジュール、プロセッサ、手段、回路およびアルゴリズムステップのうちの任意のものは、電子ハードウェア（例えば、ソースコーディングまたは他の何らかの技法を使用して設計されているかもしれない、デジタルインプリメンテーション、アナログインプリメンテーション、またはこの２つを組み合わせたもの）として、（ここでは、便宜のために、“ソフトウェア”または“ソフトウェアモジュール”として言及されているかもしれない）命令を組み込んでいるさまざまな形態のプログラムコードまたは設計コードとして、あるいは双方を組み合わせたものとして実現してもよいことを当業者はさらに認識するだろう。ハードウェアおよびソフトウェアのこの互換性を明確に説明するために、さまざまな例示的なコンポーネント、ブロック、モジュール、回路、およびステップを一般的にこれらの機能性に関して上述している。このような機能性をハードウェアあるいはソフトウェアとして実現するか否かは、特定の応用およびシステム全体に課せられた設計の制約に依存する。熟練者は、各特定の応用に対して方法を変化させて記述した機能性を実現してもよいが、このようなインプリメンテーション決定は、本開示の範囲からの逸脱を生じさせるものとして解釈すべきではない。
【００８５】
［００９２］
ここで開示した態様に関連して、および図１〜９に関連して記述した、さまざまな例示的な論理ブロック、モジュール、および回路は、集積回路（ＩＣ）内、アクセス端末内、またはアクセスポイント内で実現してもよく、あるいは集積回路（ＩＣ）、アクセス端末、またはアクセスポイントにより実行してもよい。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、電気的コンポーネント、光学的コンポーネント、機械的コンポーネント、あるいはここで記述した機能を実行するように設計されたこれらの何らかの組み合わせを含んでいてもよく、ＩＣ内、ＩＣの外部、または双方に存在するコードまたは命令を実行してもよい。論理ブロック、モジュール、および回路は、ネットワーク内の、またはデバイス内のさまざまなコンポーネントと通信するためのアンテナおよび／またはトランシーバを含んでいてもよい。汎用プロセッサはマイクロプロセッサであってもよいが、代替実施形態では、プロセッサは何らかの従来のプロセッサ、制御装置、マイクロ制御装置、または状態機械であってもよい。プロセッサはまた、コンピューティングデバイスの組み合わせとして実現してもよく、例えば、ＤＳＰとマイクロプロセッサの組み合わせとして、複数のマイクロプロセッサとして、ＤＳＰコアを備えた１つ以上のマイクロプロセッサとして、あるいはこのような構成の他の何らかのものとして実現してもよい。モジュールの機能性は、ここで教示したような他の何らかの方法で実現してもよい。（例えば、付随する図面のうちの１つ以上のものに関連して）ここで記述した機能性は、いくつかの態様において、添付された特許請求の範囲中の、同様に表した“する手段”機能性に対応していてもよい。
【００８６】
［００９３］
開示した何らかのプロセスにおけるステップの何らかの特有の順序または階層は、サンプルアプローチの例であることを理解すべきである。設計選択に基づいて、プロセスにおけるステップの特有の順序または階層を、本開示の範囲内に維持しながら再構成してもよいことが理解される。添付した方法の特許請求の範囲は、さまざまなステップのエレメントをサンプル順序で提示しているもので、提示している特有の順序または階層に限定されることを意味していない。
【００８７】
［００９４］
本開示において記述した実施形態に対するさまざまな改良は当業者に容易に明らかとなり、ここに規定した一般的な原理は、本開示の精神または範囲から逸脱することなく他の実施形態に適用してもよい。したがって、本開示は、ここで示した実施形態に限定されることを意図しているものではなく、ここで開示した特許請求の範囲、原理および新しい特徴と一致した最も広い範囲に一致させるべきである。“例示的な”という用語は、ここでは排他的に、“例として、インスタンスとして、または例証として機能すること”を意味するように使用している。“例示的な”としてここで記述した何らかの実施形態は、必ずしも、他の実施形態より好ましいまたは有利であるとして解釈すべきではない。
【００８８】
［００９５］
本明細書において別々の実施形態の状況で記述しているある特徴を、単一の実施形態で組み合わせて実現することもできる。逆に、単一の実施形態の状況で記述しているさまざまな特徴を、複数の実施形態で別々に実現することや、または任意の適切な部分的組み合わせで実現することもできる。さらに、ある組み合わせで動作しているとして特徴を上で記述し、そのように特徴を請求項に最初に記載してさえもいるかもしれないが、いくつかのケースにおいて、請求項に記載した組み合わせからの１つ以上の特徴を組み合わせから削除することができ、請求項に記載した組み合わせを部分的組み合わせまたは部分的組み合わせのバリエーションに誘導してもよい。
【００８９】
［００９６］
同様に、図面中で特定の順序で動作を図示しているが、これは、望ましい結果を達成するために、示している特定の順序でまたはシーケンシャルな順序でそのような動作を実行すること、あるいは図示したすべての動作を実行することを要求しているとして理解すべきではない。ある環境において、多重タスク処理および並行処理は有利であるかもしれない。さらに、上述した実施形態におけるさまざまなシステムコンポーネントの分離は、すべての実施形態においてそのような分離を要求しているとして理解すべきではなく、記述したプログラムコンポーネントおよびシステムを一般的に単一のソフトウェアプロダクト中にともに集積することができること、または複数のソフトウェアプロダクトにパッケージングすることができることを理解すべきである。さらに、他の実施形態は以下の特許請求の範囲の範囲内である。いくつかのケースにおいては、特許請求の範囲中に記載したアクションを異なる順序で実行して、依然として望ましい結果を達成することができる。
以下に、本願出願の当初の特許請求の範囲に記載された発明を付記する。
［１］ワイヤレス通信装置において、
第１のアンテナと第２のアンテナとを含む複数のアンテナと、
第１の送信回路を含む複数の送信回路と、
前記第１のアンテナと前記第２のアンテナとのうちの少なくとも１つの１つ以上のアップリンク性能特性に基づいて、前記第１のアンテナを介してワイヤレス通信を送信することから、前記第２のアンテナを介してワイヤレス通信を送信するように、前記第１の送信回路を選択的にスイッチするように構成されている制御装置とを具備するワイヤレス通信装置。
［２］前記制御装置は、前記第１のアンテナの前記１つ以上のアップリンク性能メトリックが前記第２のアンテナの前記１つ以上のアップリンク性能メトリックより大きい場合に、選択的にスイッチするように構成されている［１］記載のワイヤレス通信装置。
［３］前記制御装置は、前記第１のアンテナの前記１つ以上のアップリンク性能メトリックと前記第２のアンテナの前記１つ以上のアップリンク性能メトリックとの間の差がしきい値より大きい場合に、選択的にスイッチするように構成されている［１］記載のワイヤレス通信装置。
［４］前記制御装置は、前記第１のアンテナの前記１つ以上のアップリンク性能メトリックがしきい値より上の場合に、選択的にスイッチするように構成されている［１］記載のワイヤレス通信装置。
［５］前記制御装置は、
前記第１のアンテナの前記１つ以上のアップリンク性能特性がしきい値より上の場合に、前記第１のアンテナおよび前記第２のアンテナの１つ以上のダウンリンク性能特性を決定するようにと、
前記第１のアンテナの前記１つ以上のダウンリンク性能特性が前記第２のアンテナの前記１つ以上のダウンリンク性能特性より低い場合に、前記第１のアンテナを介してワイヤレス通信を送信することから、前記第２のアンテナを介してワイヤレス通信を送信するように、前記第１の送信回路を選択的にスイッチするように構成されている［１］記載のワイヤレス通信装置。
［６］前記制御装置は、前記第２のアンテナの前記１つ以上のアップリンク性能メトリックが前記第１のアンテナの前記アップリンク性能メトリックより大きい場合に、前記第２のアンテナから前記第１のアンテナに選択的にスイッチバックするようにさらに構成されている［５］記載のワイヤレス通信装置。
［７］第１の受信回路を含む複数の受信回路をさらに具備し、
前記制御装置は、前記第１のアンテナの前記１つ以上のダウンリンク性能特性が前記第２のアンテナの前記１つ以上のダウンリンク性能特性より低い場合に、前記第１のアンテナを介してワイヤレス通信を受信することから、前記第２のアンテナを介してワイヤレス通信を受信するように、前記第１の受信回路を選択的にスイッチするようにさらに構成されている［５］記載のワイヤレス通信装置。
［８］第１の受信回路を含む複数の受信回路をさらに具備し、
前記制御装置は、前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、前記第１の受信回路を選択的にスイッチするようにさらに構成されている［１］記載のワイヤレス通信装置。
［９］前記制御装置が前記第１の送信回路を選択的にスイッチするように構成されていることは、
前記第１のアンテナの１つ以上のアップリンク性能特性を決定することと、
前記第２のアンテナの１つ以上のアップリンク性能特性を決定することと、
前記第２のアンテナの前記１つ以上のアップリンク性能特性が前記第１のアンテナの前記１つ以上のアップリンク性能特性より低い場合に、前記第１のアンテナを介してワイヤレス通信を送信することから、前記第２のアンテナを介してワイヤレス通信を送信するように、前記第１の送信回路をスイッチすることとを含む［１］記載のワイヤレス通信装置。
［１０］ワイヤレス通信装置中で実現される方法において、
前記方法は、
第１のアンテナと第２のアンテナとのうちの少なくとも１つの１つ以上のアップリンク性能特性に基づいて、前記第１のアンテナを介してワイヤレス通信を送信することから、前記第２のアンテナを介してワイヤレス通信を送信するように、第１の送信回路を選択的にスイッチすることを含む方法。
［１１］前記選択的にスイッチすることは、前記第１のアンテナの前記１つ以上のアップリンク性能メトリックが前記第２のアンテナの前記１つ以上のアップリンク性能メトリックより大きい場合に、選択的にスイッチすることを含む［１０］記載の方法。
［１２］前記選択的にスイッチすることは、前記第１のアンテナの前記１つ以上のアップリンク性能メトリックと前記第２のアンテナの前記１つ以上のアップリンク性能メトリックとの間の差がしきい値より大きい場合に、選択的にスイッチすることを含む［１０］記載の方法。
［１３］前記選択的にスイッチすることは、前記第１のアンテナの前記１つ以上のアップリンク性能メトリックがしきい値より上の場合に、選択的にスイッチすることを含む［１０］記載の方法。
［１４］前記選択的にスイッチすることは、
前記第１のアンテナの前記１つ以上のアップリンク性能特性がしきい値より上の場合に、前記第１のアンテナおよび前記第２のアンテナの１つ以上のダウンリンク性能特性を決定することと、
前記第１のアンテナの前記１つ以上のダウンリンク性能特性が前記第２のアンテナの前記１つ以上のダウンリンク性能特性より低い場合に、前記第１のアンテナを介してワイヤレス通信を送信することから、前記第２のアンテナを介してワイヤレス通信を送信するように、前記第１の送信回路を選択的にスイッチすることとを含む［１０］記載の方法。
［１５］前記第２のアンテナの前記１つ以上のアップリンク性能メトリックが前記第１のアンテナの前記アップリンク性能メトリックより大きい場合に、前記第２のアンテナから前記第１のアンテナに選択的にスイッチバックすることをさらに含む［１４］記載の方法。
［１６］前記第１のアンテナの前記１つ以上のダウンリンク性能特性が前記第２のアンテナの前記１つ以上のダウンリンク性能特性より低い場合に、前記第１のアンテナを介してワイヤレス通信を受信することから、前記第２のアンテナを介してワイヤレス通信を受信するように、第１の受信回路を選択的にスイッチすることをさらに含む［１４］記載の方法。
［１７］前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、第１の受信回路を選択的にスイッチすることをさらに含む［１０］記載の方法。
［１８］前記選択的にスイッチすることは、
第１のアンテナの１つ以上のアップリンク性能特性を決定することと、
第２のアンテナの１つ以上のアップリンク性能特性を決定することと、
前記第２のアンテナの前記１つ以上のアップリンク性能特性が前記第１のアンテナの前記１つ以上のアップリンク性能特性より低い場合に、前記第１のアンテナを介してワイヤレス通信を送信することから、前記第２のアンテナを介してワイヤレス通信を送信するように、第１の送信回路をスイッチすることとを含む［１０］記載の方法。
［１９］ワイヤレス通信装置において、
前記装置は、
第１のアンテナと第２のアンテナとのうちの少なくとも１つの１つ以上のアップリンク性能特性を決定する手段と、
第１のアンテナと第２のアンテナとのうちの少なくとも１つの前記１つ以上のアップリンク性能特性に基づいて、前記第１のアンテナを介してワイヤレス通信を送信することから、前記第２のアンテナを介してワイヤレス通信を送信するように、第１の送信回路を選択的にスイッチする手段とを具備するワイヤレス通信装置。
［２０］前記選択的にスイッチする手段は、前記第１のアンテナの前記１つ以上のアップリンク性能メトリックが前記第２のアンテナの前記１つ以上のアップリンク性能メトリックより大きい場合に、選択的にスイッチする手段を備える［１９］記載のワイヤレス通信装置。
［２１］前記選択的にスイッチする手段は、前記第１のアンテナの前記１つ以上のアップリンク性能メトリックと前記第２のアンテナの前記１つ以上のアップリンク性能メトリックとの間の差がしきい値より大きい場合に、選択的にスイッチする手段を備える［１９］記載のワイヤレス通信装置。
［２２］前記選択的にスイッチする手段は、前記第１のアンテナの前記１つ以上のアップリンク性能メトリックがしきい値より上の場合に、選択的にスイッチする手段を備える［１９］記載のワイヤレス通信装置。
［２３］前記選択的にスイッチする手段は、
前記第１のアンテナの前記１つ以上のアップリンク性能特性がしきい値より上の場合に、前記第１のアンテナおよび前記第２のアンテナの１つ以上のダウンリンク性能特性を決定する手段と、
前記第１のアンテナの前記１つ以上のダウンリンク性能特性が前記第２のアンテナの前記１つ以上のダウンリンク性能特性より低い場合に、前記第１のアンテナを介してワイヤレス通信を送信することから、前記第２のアンテナを介してワイヤレス通信を送信するように、前記第１の送信回路を選択的にスイッチする手段とを備える［１９］記載のワイヤレス通信装置。
［２４］前記第２のアンテナの前記１つ以上のアップリンク性能メトリックが前記第１のアンテナの前記アップリンク性能メトリックより大きい場合に、前記第２のアンテナから前記第１のアンテナに選択的にスイッチバックする手段をさらに具備する［２３］記載のワイヤレス通信装置。
［２５］前記第１のアンテナの前記１つ以上のダウンリンク性能特性が前記第２のアンテナの前記１つ以上のダウンリンク性能特性より低い場合に、前記第１のアンテナを介してワイヤレス通信を受信することから、前記第２のアンテナを介してワイヤレス通信を受信するように、第１の受信回路を選択的にスイッチする手段をさらに具備する［２３］記載のワイヤレス通信装置。
［２６］前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、第１の受信回路を選択的にスイッチする手段をさらに具備する［１９］記載のワイヤレス通信装置。
［２７］前記選択的にスイッチする手段は、
第１のアンテナの１つ以上のアップリンク性能特性を決定する手段と、
第２のアンテナの１つ以上のアップリンク性能特性を決定する手段と、
前記第２のアンテナの前記１つ以上のアップリンク性能特性が前記第１のアンテナの前記１つ以上のアップリンク性能特性より低い場合に、前記第１のアンテナを介してワイヤレス通信を送信することから、前記第２のアンテナを介してワイヤレス通信を送信するように、第１の送信回路をスイッチする手段とを備える［１９］記載のワイヤレス通信装置。
［２８］実行されるときにワイヤレスネットワーク中の衝突を減少させるための方法をデバイス中のプロセッサに実行させる命令を含む、非一時的コンピュータ読み取り可能媒体において、
前記方法は、
第１のアンテナと第２のアンテナとのうちの少なくとも１つの１つ以上のアップリンク性能特性に基づいて、前記第１のアンテナを介してワイヤレス通信を送信することから、前記第２のアンテナを介してワイヤレス通信を送信するように、第１の送信回路を選択的にスイッチすることを含む非一時的コンピュータ読み取り可能媒体。
［２９］前記選択的にスイッチすることは、前記第１のアンテナの前記１つ以上のアップリンク性能メトリックが前記第２のアンテナの前記１つ以上のアップリンク性能メトリックより大きい場合に、選択的にスイッチすることを含む［２８］記載の非一時的コンピュータ読み取り可能媒体。
［３０］前記選択的にスイッチすることは、前記第１のアンテナの前記１つ以上のアップリンク性能メトリックと前記第２のアンテナの前記１つ以上のアップリンク性能メトリックとの間の差がしきい値より大きい場合に、選択的にスイッチすることを含む［２８］記載の非一時的コンピュータ読み取り可能媒体。
［３１］前記選択的にスイッチすることは、前記第１のアンテナの前記１つ以上のアップリンク性能メトリックがしきい値より上の場合に、選択的にスイッチすることを含む［２８］記載の非一時的コンピュータ読み取り可能媒体。
［３２］前記選択的にスイッチすることは、
前記第１のアンテナの前記１つ以上のアップリンク性能特性がしきい値より上の場合に、前記第１のアンテナおよび前記第２のアンテナの１つ以上のダウンリンク性能特性を決定することと、
前記第１のアンテナの前記１つ以上のダウンリンク性能特性が前記第２のアンテナの前記１つ以上のダウンリンク性能特性より低い場合に、前記第１のアンテナを介してワイヤレス通信を送信することから、前記第２のアンテナを介してワイヤレス通信を送信するように、前記第１の送信回路を選択的にスイッチすることとを含む［２８］記載の非一時的コンピュータ読み取り可能媒体。
［３３］前記方法は、前記第２のアンテナの前記１つ以上のアップリンク性能メトリックが前記第１のアンテナの前記アップリンク性能メトリックより大きい場合に、前記第２のアンテナから前記第１のアンテナに選択的にスイッチバックすることをさらに含む［３２］記載の非一時的コンピュータ読み取り可能媒体。
［３４］前記方法は、前記第１のアンテナの前記１つ以上のダウンリンク性能特性が前記第２のアンテナの前記１つ以上のダウンリンク性能特性より低い場合に、前記第１のアンテナを介してワイヤレス通信を受信することから、前記第２のアンテナを介してワイヤレス通信を受信するように、第１の受信回路を選択的にスイッチすることをさらに含む［３２］記載の非一時的コンピュータ読み取り可能媒体。
［３５］前記方法は、前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、第１の受信回路を選択的にスイッチすることをさらに含む［２８］記載の非一時的コンピュータ読み取り可能媒体。
［３６］前記選択的にスイッチすることは、
第１のアンテナの１つ以上のアップリンク性能特性を決定することと、
第２のアンテナの１つ以上のアップリンク性能特性を決定することと、
前記第２のアンテナの前記１つ以上のアップリンク性能特性が前記第１のアンテナの前記１つ以上のアップリンク性能特性より低い場合に、前記第１のアンテナを介してワイヤレス通信を送信することから、前記第２のアンテナを介してワイヤレス通信を送信するように、第１の送信回路をスイッチすることとを含む［２８］記載の非一時的コンピュータ読み取り可能媒体。
【図１】
0006430372.tif 000003
【図２】
0006430372.tif 000004
【図３】
0006430372.tif 000005
【図４】
0006430372.tif 000006
【図５】
0006430372.tif 000007
【図６】
0006430372.tif 000008
【図７】
0006430372.tif 000009
【図８】
0006430372.tif 000010
【図９】
0006430372.tif 000011